(57)【要約】  【課題】  通知先に対応する画像が付加されている画像の読取が行われていることを監視し、また、前記画像の総読取回数などを管理することが可能となる画像処理装置、画像記録装置及び画像処理システムを提供する。  【解決手段】  原稿の画像を読取る画像読取部１６を備え、画像読取部１６が読取った画像に対する処理を行う複合機１０において、画像読取部１６が読取る画像には、通知先に対応する画像が付加されており、制御部１２により、画像読取部１６が読取る画像から通知先に対応する画像を抽出し、通信部１４から、抽出した画像に対応する通知先（管理サーバ３６）へ、画像読取部１６が読取った画像に関する情報の通知を行う。【選択図】      図１
2006246405.tif 000002
【特許請求の範囲】
【請求項１】
原稿の画像を読取る画像読取手段及び通知先へ通知を行う通信手段を備え、画像読取手段が読取る画像には通知先に対応する画像が付加されており、画像読取手段が読取った画像に対する処理を行う画像処理装置であって、
前記画像読取手段が読取る画像から、通知先に対応する画像を抽出する抽出手段を備え、
前記通信手段は、抽出手段が抽出した画像に対応する通知先へ、画像読取手段が読取った画像に関する情報の通知を行うように構成してあることを特徴とする画像処理装置。
【請求項２】
前記画像読取手段による画像の読取および画像読取手段が読取った画像に対する処理の実行指示を受付ける受付手段を備え、
前記通信手段は、受付手段が受付けた実行指示に対応する処理とは別に通知を行うように構成してあることを特徴とする請求項１記載の画像処理装置。
【請求項３】
前記通信手段は、さらに前記受付手段が受付けた実行指示に対応する処理に関する情報の通知を行うように構成してあることを特徴とする請求項２記載の画像処理装置。
【請求項４】
原稿の画像を読取る画像読取手段及び通知先へ通知を行う通信手段を備え、画像読取手段が読取る画像には通知先に対応する画像が付加されており、画像読取手段が読取った画像に対する処理を行う画像処理装置と、シートに画像を記録する画像記録装置とを有する画像処理システムであって、
前記画像処理装置は、前記画像読取手段が読取る画像から、通知先に対応する画像を抽出する抽出手段を備え、前記通信手段は、抽出手段が抽出した画像に対応する通知先へ、画像読取手段が読取った画像に関する情報の通知を行うように構成してあり、
前記画像記録装置は、シートに記録する画像に、通知先に対応する画像を付加するか否かを決定する決定手段と、該決定手段が付加することを決定した場合、シートに記録する画像に、通知先に対応する画像を付加する付加手段とを備えることを特徴とする画像処理システム。
【請求項５】
前記通知先に対応する画像は、視覚による認識が困難な画像であることを特徴とする請求項４記載の画像処理システム。
【請求項６】
シートに画像を記録する画像記録装置において、
シートに記録する画像に、該画像に係る通知先に対応する画像を付加するか否かを決定する決定手段と、
該決定手段が付加することを決定した場合、シートに記録する画像に、通知先に対応する画像を付加する付加手段と
を備えることを特徴とする画像記録装置。
【請求項７】
シートに記録する画像の種類が特定の種類であるか否かを判定する判定手段を備え、
前記決定手段は、判定手段の判定結果に基づいて、通知先に対応する画像を付加するか否かを決定するように構成してあることを特徴とする請求項６記載の画像記録装置。
【発明の詳細な説明】
【技術分野】
【０００１】
本発明は、シートに記録された画像を読取る画像読取手段を備える画像処理装置と、シートに画像を記録する画像記録装置と、前記画像処理装置及び画像記録装置を有する画像処理システムに関する。
【背景技術】
【０００２】
原稿をシートに複写する複写機が従来から広く使用されているが、近年はカラー複写が可能な複写機が増加している。また、複写性能も向上しており、高精度の複写を行うことが可能となっている。しかし、複写性能の向上に伴って、元の原稿とほぼ同品質の複写が可能になるという問題も生じている。そのため、複写画像に、人間の目に認識し難いように、装置の識別情報を付加する装置が提案されている（例えば、特許文献１参照）。この装置を用いることにより、複写を行った装置を容易に特定することが可能となる。
【特許文献１】特開平４−２９４６８２号公報
【発明の開示】
【発明が解決しようとする課題】
【０００３】
しかし、特許文献１の装置では、複写を行った装置は特定できるが、複写が行われていることを管理することはできないという問題がある。例えば、複写したシートが見つからなければ、複写が行われたことを知ることができないという問題がある。
【０００４】
本発明は斯かる事情に鑑みてなされたものであり、読取った原稿画像から通知先に対応する付加画像を抽出する抽出手段と、抽出した付加画像に対応する通知先へ、読取った原稿画像に関する情報の通知を行う通信手段とを備えることにより、付加画像が付加されている原稿画像の読取が行われていることを通知先で管理することが可能となる画像処理装置及び画像処理システムを提供することを目的とする。
【０００５】
また、本発明は、原稿画像の読取及び読取った原稿画像に対する処理の実行指示を受付ける受付手段を備え、受付けた実行指示に対応する処理とは別に通信手段が通知を行うように構成することにより、付加画像が付加されている原稿画像に対して行われている処理に関係なく、前記原稿画像の読取が行われていることを通知先で管理することが可能となる画像処理装置を提供することを他の目的とする。
【０００６】
また、本発明は、受付手段が受付けた実行指示に対応する処理に関する情報の通知を行うように構成することにより、付加画像が付加されている原稿画像の読取が行われていること、及び、前記原稿画像に行われている処理内容を通知先で管理することが可能となる画像処理装置を提供することを他の目的とする。
【０００７】
また、本発明は、通知先に対応する付加画像は、視覚による認識が困難な画像であることにより、付加画像の付加による悪影響を最小限に抑え、付加が行われた後と付加が行われる前との違いを最小限に抑えることができる画像処理システムを提供することを他の目的とする。
【０００８】
また、本発明は、シートに記録する画像に、通知先に対応する付加画像を付加するか否かを決定する決定手段と、付加することが決定された場合、シートに記録する画像に付加画像を付加する付加手段とを備えることにより、付加画像が付加された原稿画像をシートに記録することができる画像記録装置及び画像処理システムを提供することを他の目的とする。
【０００９】
また、本発明は、シートに記録する画像の種類が特定の種類であるか否かを判定する判定手段を備え、判定結果に基づいて、前記決定手段が付加画像の付加を行うか否かを決定するように構成することにより、付加画像の付加を、シートに記録する画像の種類に応じて自動的に決定することができる画像記録装置を提供することを他の目的とする。
【課題を解決するための手段】
【００１０】
本発明に係る画像処理装置は、原稿の画像を読取る画像読取手段及び通知先へ通知を行う通信手段を備え、画像読取手段が読取る画像には通知先に対応する画像が付加されており、画像読取手段が読取った画像に対する処理を行う画像処理装置であって、前記画像読取手段が読取る画像から、通知先に対応する画像を抽出する抽出手段を備え、前記通信手段は、抽出手段が抽出した画像に対応する通知先へ、画像読取手段が読取った画像に関する情報の通知を行うように構成してあることを特徴とする。
【００１１】
本発明に係る画像処理装置は、前記画像読取手段による画像の読取および画像読取手段が読取った画像に対する処理の実行指示を受付ける受付手段を備え、前記通信手段は、受付手段が受付けた実行指示に対応する処理とは別に通知を行うように構成してあることを特徴とする。
【００１２】
本発明に係る画像処理装置は、前記通信手段は、さらに前記受付手段が受付けた実行指示に対応する処理に関する情報の通知を行うように構成してあることを特徴とする。
【００１３】
本発明に係る画像処理システムは、原稿の画像を読取る画像読取手段及び通知先へ通知を行う通信手段を備え、画像読取手段が読取る画像には通知先に対応する画像が付加されており、画像読取手段が読取った画像に対する処理を行う画像処理装置と、シートに画像を記録する画像記録装置とを有する画像処理システムであって、前記画像処理装置は、前記画像読取手段が読取る画像から、通知先に対応する画像を抽出する抽出手段を備え、前記通信手段は、抽出手段が抽出した画像に対応する通知先へ、画像読取手段が読取った画像に関する情報の通知を行うように構成してあり、前記画像記録装置は、シートに記録する画像に、通知先に対応する画像を付加するか否かを決定する決定手段と、該決定手段が付加することを決定した場合、シートに記録する画像に、通知先に対応する画像を付加する付加手段とを備えることを特徴とする。
【００１４】
本発明に係る画像処理システムは、前記通知先に対応する画像は、視覚による認識が困難な画像であることを特徴とする。
【００１５】
本発明に係る画像記録装置は、シートに画像を記録する画像記録装置において、シートに記録する画像に、該画像に係る通知先に対応する画像を付加するか否かを決定する決定手段と、該決定手段が付加することを決定した場合、シートに記録する画像に、通知先に対応する画像を付加する付加手段とを備えることを特徴とする。
【００１６】
本発明に係る画像記録装置は、シートに記録する画像の種類が特定の種類であるか否かを判定する判定手段を備え、前記決定手段は、判定手段の判定結果に基づいて、通知先に対応する画像を付加するか否かを決定するように構成してあることを特徴とする。
【００１７】
本発明においては、画像読取手段が読取る画像（以下、原稿画像という）には、通知先に対応する画像（以下、付加画像という）が付加されており、抽出手段が原稿画像から付加画像を抽出し、抽出した付加画像に対応する通知先へ、通信手段が原稿画像に関する情報を通知するため、原稿画像の読取を行う毎に、通知先へ原稿画像に関する情報が通知される。通知先の装置は、付加画像が付加された原稿画像の読取が行われていることを監視でき、また、原稿画像の総読取回数などを管理することができる。付加画像は、例えば２次元コードなどのパターン認識可能な画像であり、パターンと通知先との対応関係が装置内蔵の記憶部に予め記憶されている。または、付加画像は、例えばＯＣＲ（Optical Character Reader）などの文字認識可能な画像であり、通知先のアドレスなどを文字認識することが可能である。原稿画像に関する情報は、例えば原稿画像の縮小画像又は原稿画像の識別子などである。なお、原稿画像の識別子は、通知先と同様にして、予め原稿画像に付加しておき、原稿画像から抽出することが可能である。
【００１８】
本発明においては、画像読取手段による原稿画像の読取及び画像読取手段が読取った原稿画像に対する処理の実行指示を受付手段で受付け、受付けた実行指示に対応する処理とは別に、通信手段が上述した通知を行うため、読取った原稿画像に対して実行されている処理に関係なく、上述した通知先への通知が行われる。通知先の装置は、前記原稿画像に対して実行されている処理に関係なく、前記原稿画像の読取が行われていることを監視でき、また、前記原稿画像の総読取回数などを管理することができる。
【００１９】
本発明においては、通信手段は、付加画像が付加されている原稿画像に関する情報に加え、前記原稿画像に対して受付手段が受付けた実行指示に対応する処理に関する情報も通知するため、付加画像が付加された原稿画像の読取を行う毎に、前記通知先へ前記原稿画像に関する情報及び前記原稿画像に対して実行される処理に関する情報が通知される。通知先の装置は、付加画像が付加された原稿画像の読取が行われていること、及び、前記原稿画像に行われている処理内容を監視でき、また、前記原稿画像の総読取回数、及び、処理の種類別の実行回数などを管理することができる。実行指示に対応する処理に関する情報は、例えば複写又はＦＡＸなどの処理コードである。
【００２０】
本発明においては、通知先に対応する付加画像は、視覚による認識が困難な画像であるため、付加による悪影響を最小限に抑え、付加が行われた後と付加が行われる前との違いを最小限に抑えることができる。視覚による認識が困難な画像は、例えば黄色などの人間の目が認識し難い色の画像、及び／又は、人間の目が認識し難い細い線の画像などである。
【００２１】
本発明においては、シートに記録する画像に、例えば該画像を管理する装置のアドレスなどの前記画像に係る通知先に対応する付加画像を付加するか否かを決定手段が決定し、付加することが決定された場合、シートに記録する画像に、通知先に対応する付加画像を付加手段が付加するため、付加画像が付加された画像をシートに記録し、上述した画像処理装置などにより、シートの画像を読取って、読取った画像から付加画像を抽出することが可能となる。決定手段は、例えば操作部から付加指示を受付けたことにより、付加画像を付加することを決定することが可能である。付加画像の付加が必要な画像に対して、付加を行うことができる。
【００２２】
本発明においては、シートに記録する画像の種類が特定の種類であるか否かを判定手段で判定し、判定結果に基づいて、付加画像を付加するか否かを決定手段が決定するため、付加画像を付加するか否かをシートに記録する画像の種類に応じて自動的に決定することができる。例えば特定の種類と判定された場合は、付加画像を付加することを決定することが可能である。また、付加画像の付加が必要な画像に対して、確実に付加を行うことができる。特定の種類の画像は例えば重要文書画像又は機密文書画像であり、重要文書画像又は機密文書画像であるか否かの判定は、例えば画像に含まれる丸秘マークをパターン認識して検出したり、画像に含まれる「重要」などの文字をＯＣＲで文字認識して検出することで判定可能である。
【発明の効果】
【００２３】
本発明によれば、通知先に対応する付加画像が付加されている原稿画像の読取が行われていることを監視し、また、前記原稿画像の総読取回数などを管理することが可能となる。
【００２４】
本発明によれば、通知先に対応する付加画像が付加されている原稿画像に対して行われている処理に関係なく、前記原稿画像の読取が行われていることを監視し、また、前記原稿画像の総読取回数などを管理することが可能となる。
【００２５】
本発明によれば、付加画像が付加されている原稿画像の読取が行われていること、及び、前記原稿画像に行われている処理内容を監視し、また、前記原稿画像の総読取回数、及び、処理の種類別の実行回数などを管理することが可能となる。
【００２６】
本発明によれば、通知先に対応する付加画像の付加による悪影響を最小限に抑え、付加が行われた後と付加が行われる前との違いを最小限に抑えることができる。
【００２７】
本発明によれば、通知先に対応する付加画像が付加された原稿画像をシートに記録することができる。
【００２８】
本発明によれば、通知先に対応する付加画像の付加を、シートに記録する画像の種類に応じて自動的に決定することができ、また、付加画像の付加が必要な画像に対して、確実に付加を行うことができる。
【発明を実施するための最良の形態】
【００２９】
以下、本発明をその実施の形態を示す図面に基づいて具体的に説明する。
（実施の形態１）
図１は本発明に係る複合機（画像処理装置）の構成例を示すブロック図である。複合機１０は、プリンタの機能に加え、イメージスキャナの機能、及び、複写機の機能などを備え、ＬＡＮ又はインターネットなどの通信ネットワーク３０を介してコンピュータ３２，３４及び管理サーバ３６と接続されている。
【００３０】
複合機１０は、原稿の画像を読取るイメージスキャナなどの画像読取部（画像読取手段）１６と、通信ネットワーク３０に接続され、コンピュータ３２，３４などの外部装置との通信を行う通信部（通信手段）１４と、画像読取部１６が読取った画像又は通信部１４が受信した画像を記憶するハードディスクドライブなどの記憶部１８と、記憶部１８に記憶した画像をシートに記録する画像記録部２０と、液晶表示パネルなどの表示部及び押ボタン式の操作キーなどの操作部を有する操作パネル（受付手段）２２と、装置内の上述した各構成部の制御を行うＣＰＵ（Central Processing Unit）などの制御部１２とを備える。また、操作パネル２２は、表示部にタッチパネルが設けられており、表示部は操作部としても動作する。また、制御部１２は、ＲＡＭ（Random Access Memory）及びＲＯＭ（Read Only Memory）を備え、ＲＯＭに記憶されているプログラムを実行し、プログラムの実行中に生じたデータなどをＲＡＭに記憶する。
【００３１】
複合機１０は、コンピュータ３２から送信された印刷データに基づく画像を通信部１４で受信した場合、制御部１０の制御により、受信した画像を記憶部１８に記憶し、記憶した画像を画像記録部２０へ送り、印刷データに基づく画像のシートへの画像記録処理（出力処理）を実行させる。この場合、複合機１０はプリンタとして動作する。
【００３２】
また、複合機１０は、画像読取部１６に原稿がセットされた状態で、操作パネル２２から複写操作を受付けた場合、制御部１２の制御により、画像読取部１６に原稿の画像を読取らせ、読取った画像を記憶部１８に記憶し、記憶した画像を画像記録部２０へ送り、シートへの画像記録処理（出力処理）を実行させる。この場合、複合機１０は複写機として動作する。
【００３３】
また、複合機１０は、画像読取部１６に原稿がセットされた状態で、操作パネル２２からスキャン操作及び送信先の指定を受付けた場合、制御部１２の制御により、画像読取部１６に原稿の画像を読取らせ、読取った画像を記憶部１８に記憶し、記憶した画像を通信部１４から送信先のコンピュータ３４へ送り、画像データの送信処理（出力処理）を実行させる。この場合、複合機１０はイメージスキャナとして動作する。
【００３４】
画像読取部１６が読取る原稿画像には、通知先に対応する画像（以下、付加画像という）が付加されており、制御部１２は、画像読取部１６が読取る原稿画像から付加画像を抽出する抽出手段として動作し、通信部１４は、抽出された付加画像に対応する通知先へ、画像読取部１６が読取った原稿画像に関する情報（以下、通知情報という）の通知を行う通信手段として動作する。ただし、通知情報の通知（送信）は、操作パネル２２が受付けた、画像読取部１６が読取った原稿画像に対する処理の実行指示に対応する処理とは別に行われる。例えば、操作パネル２２で複写指示を受付けた場合、制御部１２は、画像記録部２０を制御してシートに画像を記録させると共に、通知先へ通信部１４から通知情報を送信する。
【００３５】
通知情報は、例えば原稿画像を制御部１２によって縮小した画像、又は、原稿画像の識別子である。また、通知情報は、付加画像が付加されている原稿画像に対して、操作パネル２２が受付けた実行指示に対応する処理に関する情報も含む。例えば、操作パネル２２で複写指示を受付けた場合、複写に対応する処理コードなどが通知情報に含まれる。なお、各種処理の処理コードは、例えば予め記憶部１８に記憶されている。
【００３６】
図２は、付加画像が付加された原稿画像の例を示す図である。原稿画像４０には、視覚による認識が困難な付加画像４４が付加されている。付加画像４４は、例えば人間の目に認識し難い黄色で記録、及び／又は、人間の目に認識し難い細い線で記録されている。付加画像４４は、例えば２次元コードなどのパターン認識可能な画像であり、例えば記憶部１８に、パターンと通信先との対応関係が予め記憶されている。制御部１２は、２次元コードなどのパターン認識と同様にして、画像読取部１６で読取られた原稿画像４０に付加されている付加画像４４を抽出及びパターン認識し、認識したパターンに対応する通知先のアドレス（例えばＩＰアドレスなど）を、記憶部１８に記憶されている前記対応関係から取得する。また、通知情報として原稿画像の識別子を用いる場合は、制御部１２により、例えばバーコードなどと同様にして、原稿画像に予め付加されている識別子を抽出することが可能である。
【００３７】
図３は通知処理を含む画像処理手順の例を示すフローチャートである。また、図４は、複合機１０の各構成部間のデータの流れを示すブロック図である。画像読取部１６に原稿がセットされた状態で、操作パネル２２から複写操作を受付けた場合、制御部１２は、画像読取部１６を制御して、画像の読取を行わせ（Ｓ１０）、読取った画像を記憶部１８に記憶する。読取った画像に対し、制御部１２は、付加画像の抽出処理を行う（Ｓ１２）。付加画像を抽出して通知先を特定した場合（Ｓ１４：ＹＥＳ）、制御部１２は、通知情報を作成し、通信部１４から通知先（本実施の形態では管理サーバ３６）への通知処理を行う（Ｓ１６）。通知先を特定できなかった場合（Ｓ１４：ＮＯ）、又は、通知を行った（Ｓ１６）後、制御部１２は、画像記録部２０を制御してシートへの画像記録処理（出力処理）を行わせる（Ｓ１８）。管理サーバ３６は、複合機１０から送信された通知情報を受信し、通知情報を管理する。例えば、付加画像が付加されている原稿の読取回数、複写回数などを管理することが可能である。
【００３８】
上述した実施の形態においては、画像読取部１６で画像を読取る場合を例にして説明したが、図４の１点鎖線で示すように、通信部１４で、付加画像が付加された原稿画像をコンピュータ３２から受付けることも可能である。また、上述した実施の形態においては、画像記録部２０でシートに画像を記録したが、図４の１点鎖線で示すように、通信部１４からコンピュータ３４へ画像を送信することも可能である。
【００３９】
原稿画像４０に付加する付加画像は任意の画像を用いることができる。図５は付加画像が付加された原稿画像の他の例を示す図である。また、付加画像４４は、原稿画像４０全体に記録する必要は無く、一部分に記録することも可能である。また、付加画像は、直線に限定はされず、曲線を含んでいたり、ドットを含んでいたり、文字を含んでいてもよい。また、付加画像の色も黄色に限定はされず、任意の色を用いることが可能である。
【００４０】
（実施の形態２）
図６は本発明に係る複合機（画像記録装置）の構成例を示すブロック図である。複合機１１は、プリンタの機能に加え、イメージスキャナの機能、及び、複写機の機能などを備え、ＬＡＮ又はインターネットなどの通信ネットワーク３０を介してコンピュータ３２，３４と接続されている。
【００４１】
複合機１１の基本構成は、第１の実施の形態（図１）とほぼ同様であり、画像読取部１６と、通信部１４と、記憶部１８と、画像記録部２０と、操作パネル２２と、制御部１２とを備える。また、複合機１１は、第１の実施の形態と同様に、操作パネル２２が受付けた操作などに応じた制御部１２の制御により、プリンタ、複写機、又はイメージスキャナとして動作する。
【００４２】
制御部１２は、シートに記録する画像に、通知先に対応する付加画像を付加するか否かを決定する決定手段、及び、付加することを決定した場合、シートに記録する画像に付加画像を付加する付加手段として動作する。また、制御部１２は、シートに記録する画像の種類が特定の種類であるか否かを判定する判定手段として動作し、判定結果に基づいて付加画像を付加するか否かを決定する。例えばシートに記録する画像が特定の種類であると判定した場合、付加画像を付加することを決定する。付加画像は、例えば予め記憶部１８に記憶されている。
【００４３】
特定の種類の画像（以下、特定画像という）は、例えば重要文書画像又は機密文書画像である。例えば図２に示すように原稿画像４０に丸秘マーク４２が含まれている場合、又は、図５（ａ）に示すように原稿画像４０に重要マーク４２が含まれている場合、特定画像と判定することが可能である。丸秘マーク又は重要マークの有無の判定は、例えば画像読取部１６で読取った画像からＯＣＲによるパターン認識と同様にして、丸秘マーク又は重要マークの検出を行ったり、例えば通信部１４で受信した印刷データに含まれる丸秘文字又は重要文字を検出すること等が可能である。また、特定画像の各種類と付加画像の各種類との対応関係が、例えば予め記憶部１８に記憶されており、制御部１２は、検出した特定画像に対応する付加画像の付加を行う。
【００４４】
図７は付加画像の付加処理を含む画像処理手順の例を示すフローチャートである。また、図８は、複合機１１の各構成部間のデータの流れを示すブロック図である。通信部１４がコンピュータ３２から印刷データなどに基づく画像を受付けた場合、制御部１２は、受付けた画像を記憶部１８に記憶する（Ｓ３０）。受付けた画像に対し、制御部１２は、丸秘マーク又は重要マークなどを検出して、受付けた画像が特定画像であるか否かの判定処理を行う（Ｓ３２）。丸秘マーク又は重要マークなどを検出して特定画像と判定した場合（Ｓ３４：ＹＥＳ）、制御部１２は、受付けた画像に付加画像を付加する（Ｓ３６）。特定画像と判定しなかった場合（Ｓ３４：ＮＯ）、又は、付加を行った（Ｓ３６）後、制御部１２は、画像記録部２０を制御してシートへの画像記録処理（出力処理）を行わせる（Ｓ３８）。このようにして付加画像が付加された画像をシートに記録し、実施の形態１の複合機１０に読取らせる。
【００４５】
上述した実施の形態においては、通信部１４でコンピュータ３２から印刷データに基づく画像を受付ける場合を例にして説明したが、図８の１点鎖線で示すように、画像読取部１６で画像を読取ることも可能である。また、上述した実施の形態においては、画像記録部２０でシートに画像を記録したが、図８の１点鎖線で示すように、通信部１４からコンピュータ３４へ画像を送信することも可能である。
【００４６】
また、上述した実施の形態２では、制御部１２により、シートに記録する画像が特定画像であるか否かの判定を行い、判定結果に基づいて付加画像を付加するか否かを決定したが、例えば操作パネル２２から付加指示を受付け、付加指示の有無に基づいて付加画像を付加するか否かを決定することも可能である。図９は、複合機１１の各構成部間のデータの流れを示すブロック図である。図９においては、制御部１２はシートに記録する画像が特定画像であるか否かの判定処理を行っておらず、操作パネル２２で受付ける付加指示の有無に基づいて、付加画像を付加するか否かを決定している。また、付加画像の選択も操作パネル２２で受付けている。例えば図５（ｂ）、（ｃ）に示す原稿画像のように、丸秘マーク又は重要マークなどが無い場合は、付加指示を操作パネル２２から受付ける必要がある。
【図面の簡単な説明】
【００４７】
【図１】本発明に係る複合機（画像処理装置）の構成例を示すブロック図である。
【図２】付加画像が付加された原稿画像の例を示す図である。
【図３】通知処理を含む画像処理手順の例を示すフローチャートである。
【図４】図１に示す複合機の各構成部間のデータの流れを示すブロック図である。
【図５】付加画像が付加された原稿画像の他の例を示す図である。
【図６】本発明に係る複合機（画像記録装置）の構成例を示すブロック図である。
【図７】付加画像の付加処理を含む画像処理手順の例を示すフローチャートである。
【図８】図６に示す複合機の各構成部間のデータの流れを示すブロック図である。
【図９】図６に示す複合機の各構成部間のデータの流れを示すブロック図である。
【符号の説明】
【００４８】
１０、１１  複合機
１２  制御部
１４  通信部
１６  画像読取部
１８  記憶部
２０  画像記録部
２２  操作パネル
３０  通信ネットワーク
３２、３４  コンピュータ
３６  管理サーバ
４０  原稿画像
４４  付加画像
【図１】
2006246405.tif 000003
【図２】
2006246405.tif 000004
【図３】
2006246405.tif 000005
【図４】
2006246405.tif 000006
【図５】
2006246405.tif 000007
【図６】
2006246405.tif 000008
【図７】
2006246405.tif 000009
【図８】
2006246405.tif 000010
【図９】
2006246405.tif 000011